(57)【要約】【課題】  子供のいたずらによって解錠されにくい扉開き防止装置を提供する。【解決手段】  各扉Ｄ，Ｄの戸当たりＤ１を跨ぐように第１ベース部２および第２ベース３を取り付け、それらの間をアーム部４によって連結し、第１ベース部２にアーム部４に向けて出没する係止凸部２４１を有する第１ロック手段と、ガイド溝４２に向けて出没する係止爪５３を有する第２ロック手段とによりダブルロックする。【選択図】  図２
2006342539.tif 000002
【特許請求の範囲】
【請求項１】
扉体の戸当たりを挟んで対称位置に取り付けられる一対のベース部で、係止軸を有する第１ベース部および支軸を有する第２ベース部と、上記各ベース部間に架け渡されるアーム部とを含み、上記アーム部は、上記第２ベース部の支軸に回転可能に軸支されているとともに、上記第１ベース部の係止軸に係止されるガイド溝を有し、所定のロック手段により上記ガイド溝内に上記係止軸が釈放可能着脱自在に保持される扉開き防止装置において、
上記ロック手段は、上記ガイド溝内に上記係止軸が嵌合しているロック状態において、上記アーム部の所定部位に係合して同アーム部を回転不能に保持する第１ロック手段と、
上記ガイド溝から上記係止軸が外れないように、上記ガイド溝の開口部を閉じる第２ロック手段とを有し、上記第１および第２ロック手段を同時に操作することにより、上記アーム部のロック状態が解除されることを特徴とする扉開き防止装置。
【請求項２】
上記第１ベース部には、上記第１ロック手段として、上記アーム部の内側に形成されている係止面に向けて出没する第１係止爪と、上記第１係止爪を常に上記アーム部に向けて突出させる第１バネ手段と、上記第１係止爪を上記アーム部から離反させるロック解除ボタンとが設けられていることを特徴とする請求項１に記載の扉開き防止装置。
【請求項３】
上記アーム部には、上記第２ロック手段として、上記ガイド溝に向けて出没する第２係止爪を有するロックレバーと、上記ロックレバーを介して上記第２係止爪を常に上記ガイド溝内に向けて突出させる第２バネ手段と、上記ロックレバーに連結されたロック解除レバーとが設けられていることを特徴とする請求項１または２に記載の扉開き防止装置。
【発明の詳細な説明】
【技術分野】
【０００１】
本発明は、例えば食器棚などの扉を幼児がいたずらに開けないようにするための扉開き防止装置に関し、さらに詳しく言えば、知育習得時にある幼児であっても操作しにくい扉開き防止装置に関する。
【背景技術】
【０００２】
一般に、０〜３歳の知育発達時の幼児は、目に入るもの全てに興味を覚え、手で触れたり口に入れるなどして、知恵を徐々に付けていくが、例えば食器などの壊れやすいものや薬や刃物などの危険物には、できる限り触れさせない方がよい。また、クローゼットなどの大型収納は扉が重く、指を挟むと大けがをするおそれがある。
【０００３】
そこで、幼児がこのような事故を起こさないようにするため、扉の開閉を規制する扉開き防止装置が各種提案されてる。例えば特許文献１に記載の扉開き防止装置は、家具の扉体の戸当たりを挟んで対称位置に取り付けられる一対のベース部を有し、一方のベース部の支軸にアーム部が回転可能に取り付けられ、他方のベース部にアーム部を係止することにより、戸当たりを跨いでアーム部が配置されることにより開閉が規制される。
【０００４】
アーム部内には、ロック手段としてのロックレバーを有し、このロックレバーを２段階で移動させることにより、ロックが解除されるようになっている。これによれば、ロック時は幼児にとって簡単には開けることができない。
【０００５】
すなわち、ロックを解除するためには、まず、ロックレバーを上に持ち上げて半解錠状態とした上で、さらに係止爪を横に移動させる２ステップ方式でロックを解除しなければならないからである。
【０００６】
しかしながら、上記扉開き防止装置には、次のような問題があった。すなわち、１歳児ぐらいまでの幼児にはロックを解除する知恵はまだ無いが、知育発達が早い２，３歳児になると、簡単に解除方法を見破ることができ、ロックを解除されてしまうおそれがある。また、この程度の年齢になると一度ロックを解除すると再び解除することは容易い。
【０００７】
また、幼児の多くはロックを一方的に解除するだけで、再び施錠することはない。したがって、扉が常に開放可能な状態に放置され、収納物を床に拡げたりして、それを踏みつけるなど二次的な被害を招くおそれもある。
【０００８】
【特許文献１】特開２００４−３６０１９２号公報
【発明の開示】
【発明が解決しようとする課題】
【０００９】
そこで、本発明は上述した課題を解決するためになされたものであって、その目的は、いたずらによって解錠されにくい扉開き防止装置を提供することにある。
【課題を解決するための手段】
【００１０】
上述した目的を達成するため、本発明は以下に示すいくつかの特徴を備えている。請求項１に記載の発明は、扉体の戸当たりを挟んで対称位置に取り付けられる一対のベース部で、係止軸を有する第１ベース部および支軸を有する第２ベース部と、上記各ベース部間に架け渡されるアーム部とを含み、上記アーム部は、上記第２ベース部の支軸に回転可能に軸支されているとともに、上記第１ベース部の係止軸に係止されるガイド溝を有し、所定のロック手段により上記ガイド溝内に上記係止軸が釈放可能着脱自在に保持される扉開き防止装置において、上記ロック手段は、上記ガイド溝内に上記係止軸が嵌合しているロック状態において、上記アーム部の所定部位に係合して同アーム部を回転不能に保持する第１ロック手段と、上記ガイド溝から上記係止軸が外れないように、上記ガイド溝の開口部を閉じる第２ロック手段とを有し、上記第１および第２ロック手段を同時に操作することにより、上記アーム部のロック状態が解除されることを特徴としている。
【００１１】
請求項２に記載の発明は、上記請求項１において、上記第１ベース部には、上記台１ロック手段として、上記アーム部の内側に形成されている係止面に向けて出没する第１係止爪と、上記第１係止爪を常に上記アーム部に向けて突出させる第１バネ手段と、上記第１係止爪を上記アーム部から離反させるロック解除ボタンとが設けられていることを特徴としている。
【００１２】
請求項３に記載の発明は、上記請求項１または２において、上記アーム部には、上記第２ロック手段として、上記ガイド溝に向けて出没する第２係止爪を有するロックレバーと、上記ロックレバーを介して上記第２係止爪を常に上記ガイド溝内に向けて突出させる第２バネ手段と、上記ロックレバーに連結されたロック解除レバーとが設けられていることを特徴としている。
【発明の効果】
【００１３】
請求項１〜３に記載の発明によれば、押しボタン式の第１ロック手段と、スライド式の第２ロック手段とのダブルロック機構を備えていることにより、幼児には解錠しにくく、大人には操作しやすい扉開き防止装置を提供することができる。
【発明を実施するための最良の形態】
【００１４】
次に、本発明の実施形態について図面を参照しながら説明する。なお、本発明はこの限りではない。図１は、本発明の一実施形態に係る扉開き防止装置の使用状態を示す斜視図であり、図２は、扉開き防止装置の斜視図である。図３（ａ）は扉開き防止装置の正面図であり、図３（ｂ）はその背面図、図３（ｃ）はその平面図、図３（ｄ）は底面図である。
【００１５】
この扉開き防止装置１は、例えば前面に両開き式の扉体Ｄ，Ｄを有する家具Ｆの各扉体Ｄ，Ｄの戸当たりＤ１を跨ぐように取り付けて使用される。図３（ａ）〜（ｄ）を併せて参照して、扉開き防止装置１は、戸当たりＤ１を挟んで各扉体Ｄの対称位置に取り付けられる一対のベース部２，３と、ベース部２，３の間に架け渡されるアーム部４とを備えている。この例において、ベース部２，３およびアーム部３は、ともに合成樹脂の成型品からなる。
【００１６】
一方のベース部２（以下、第１ベース部２という）の正面図を図４（ａ）、その左側面図を図４（ｂ）に示す。これによると、ベース部２（以下、第１ベース部２とする）は、被取付面（この例では扉体Ｄ）に対して取り付けられる基台２１と、同基台２１の中央に立設された係止軸２２とを備えている。
【００１７】
基台２１は、例えば方形状の板体からなり、その裏面側には、図５に示すように、扉体Ｄに対して第１ベース部２を取り付けるための取付板２３が着脱可能に設けられている。取付版２３は、両面粘着テープＴが貼り付けられる貼付面２３１を有する板状体からなり、両側面には、基台２１側のガイド溝２１１に沿って取付板２３を差し込むためのガイドリブ２３２，２３２が設けられている。
【００１８】
取付板２３の端部（図５では下端）には、取付板２３を第１ベース部２に差し込む際に指によって摘まれるつまみ部２３３，２３３が設けられている。つまみ部２３３，２３３は、上記ガイドリブ２３２，２３２に沿って平行なレール状として弾性変形可能に形成されており、その側部には、ガイド溝２１１の切欠部２１２，２１２に嵌合される凸部２３４，２３４が設けられている。
【００１９】
この例において、両面粘着テープＴは、テープ基材を鉛直方向に引っ張ることにより粘着力が低下する延伸剥離テープが用いられる。この種の延伸剥離テープは、引っ張ることができるように、その端部が取付部分からはみ出されるが、これでは見映えが悪い。
【００２０】
そこで、取付面２３１の面積は、基台２１の底面積よりも小さく形成して延伸剥離テープの端部が見えないようにしている。すなわち、取付面２３ｒ１の面積を小さくしたことにより、取付板２４を取り除く際に、延伸剥離テープＴのつまみ部Ｔ１がそこから露出するように工夫されている。
【００２１】
再び図４（ａ）および（ｂ）を参照して、係止軸２２は、後述するアーム部４のガイド溝４２内に導き入れられる係止ロッド２２１と、係止ロッド２２１の先端に一体的に設けられた抜け止め用の拡径部２２２とを備えている。係止ロッド２２１の軸方向の長さは、アーム部４の厚さよりも若干長めに設定されている。
【００２２】
図６の断面図（第１ベース部２の右側断面図）に示すように、基台２１には、アーム部４に対する第１のロック手段としてのロック部２４が設けられている。ロック部２４は弾性変形可能な板体からなり、一端側（図６では上端側）が基台２１の底面に固定され、他端側（図６では下端側）が自由端として片持ち支持されている。なお、アーム部４にはロック部２４の相手方としての係止部が設けられている。この例において、係止部は断面コ字状に形成されたアーム部４の側壁面の内側である。
【００２３】
ロック部２４には、アーム部４の内側に向けて出没する係止凸部２４１と、同係止凸部２４１を解錠するための解錠ボタン２４２とが設けられている。係止凸部２４１は、アーム部４に向けて突設された断面３角形状を呈し、ロック部２４の板材が備えるバネ弾性により、基台２１に開口された連通孔２１３を介して基台２１の表面側に突き出している。
【００２４】
係止凸部２４１は、アーム部４の閉方向（図６では下方向）に向かうにつれてその高さが高くなるテーパー面２４１ａを有し、テーパー面２４１ａの終端側にはアーム部４の内周面に沿って係止される鉤部２４１ｂが設けられている。
【００２５】
解錠ボタン２４２は、ロック部２４の自由端側に凸形状として一体的に突設されており、基台２１に設けられたボタン挿通孔２１４を介して、ロック部２４の板材が備えるバネ弾性により基台２１の表面側に突き出されている。これによれば、解錠ボタン２４２を押すことにより、係止凸部２４１が基台２１側に引き込まれ、アーム部４とのロックが解除される。
【００２６】
再び、図３（ａ）〜（ｄ）を参照して、他方のベース部３（以下、第２ベース部３とする）は、上記第１ベース部２と同じ例えば方形状の基台３１を備え、その中央にはアーム部４を回転可能に軸支する支軸３２が設けられている。
【００２７】
基台３１の裏面側には、被取付面に対して所定の固定手段（この例では両面粘着テープ）を介して固定される取付板３３が着脱可能に設けられている。取付板３３の構成は上記第１ベース部２の取付板２２と同一であるため、その説明は省略する。
【００２８】
支軸３２は、上述した第１ベース部２と同じくアーム部４を回転可能に軸支する回転軸としての係止ロッド３２１と、同係止ロッド３２１の先端に形成された拡径部３２２とを備えている。アーム部４は、係止ロッド３２１に図示しない軸受け部を差し込んだのち、拡径部３２２を係止ロッド３２１に装着することにより、支軸３２に回転可能に取り付けられる。
【００２９】
図７（ａ）は、アーム部単体を裏側から見た状態の背面図であり、図７（ｂ）はそのロックレバーを移動してロック解除した状態の背面図である。アーム部４は、第１および第２ベース部２，３の間に架け渡される断面コ字状の板体からなり、内部にアーム部４を第１ベース部２に係止するための第２のロック手段としてのロックレバー５が設けられている。
【００３０】
アーム部４の一端側（図７（ａ）では左側）には、第２ベース部３の支軸３２に軸支される軸受孔４１が設けられている。アーム部４１は、この軸受孔４１を中心軸として、第２ベース部３に回転可能に軸支されている。
【００３１】
アーム部４の他端側（図７（ａ）では右側）には、第１ベース部２の係止ロッド２２１が導き入れられるガイド溝４２が設けられている。ガイド溝４２は、アーム部４の回転軌跡沿って形成されている。ガイド溝４２の溝幅は、係止ロッド２２１の直径よりも若干広幅とされている。
【００３２】
ロックレバー５は、アーム部４の長さ方向に沿ってスライド可能なレバー本体５１を備え、レバー本体５１の反ガイド溝側には、係止ロッド２２１の挿通孔４１の外壁面に当接して、レバー本体５１を常にガイド溝４２側に向けて押圧するバネ部材５２が設けられている。
【００３３】
レバー本体５１の中央には、アーム部４の中央に形成されたガイドボス４３が挿入されるガイド孔５６が設けられている。ガイド孔５６は、レバー本体５１のスライド方向に沿って長円状に形成されており、そこにほぼ同径のガイドボス４３が差し込まれることで、レバー本体５１を確実にスライド方向にガイドする。なお、ガイドボス４３およびガイド孔５６は、ロックレバー５のスライド方向の移動距離を規制する規制手段も兼ねている。
【００３４】
レバー本体５１のスライド方向の一端側には、ガイド溝４２に向けて突出する係止爪５３が設けられている。係止爪５３には、係止状態において係止ロッド２２１を噛み込む鉤部５４が形成されている。
【００３５】
この例において、係止爪５３は、ガイド溝４２に対する係止軸２２の挿入方向に対して入り込みやすいようにテーパー面とされており、鉤部５４は、テーパー面２３２に対して鋭角的に設けられ、この例ではスライド方向に沿って平行な水平面とされている。
【００３６】
ロックレバー５の両端（図７（ａ）では上下端）には、ロックレバー５をスライドさせるための解除レバー５５，５５が設けられている。解除レバー５５，５５は、ロックレバー５に一体的に取り付けられており、アーム部４の上下にスライド可能に突出している。
【００３７】
バネ部材５２は、一端がレバー本体５１の反係止爪５３側に連結され、他端がアーム部４の内周面に当接しており、Ｕ字状に折曲られた薄肉ヒンジからなる。この例において、バネ部材５２は、レバー本体５１に一体形成されているが、これ以外に通常の金属製の圧縮バネから構成されていてもよい。
【００３８】
次に、図７（ａ），（ｂ）および図８を参照して、この扉開き防止装置１の使用手順の一例について説明する。まず、この扉開き防止装置１を家具Ｆの扉体Ｄ，Ｄに取り付けるに当たっては、予め図２のように組み立てられた状態の扉開き防止装置１の各ベース部２，３の取付板２３，２３に両面粘着テープＴを貼り付ける。
【００３９】
次に、その粘着面を図１に示すように各扉体Ｄ，Ｄに戸当たりＤ１を挟むようにして貼り付けることで、簡単に取り付けることができる。これにより、戸当たりＤ１を跨ぐようにアーム部４が架け渡されることで、扉体Ｄ，Ｄの開閉を規制することができる。
【００４０】
ロックを解除するに当たっては、まず、図８に示すように、片手（例えば左手）で第１ベース２の解錠ボタン２４２を押す。これにより、図６に示すように、ロック部２４を介して係止凸部２４１が基台２１側に引き込まれ、アーム部４とのロックが解除される。
【００４１】
この状態においても、アーム部４はまだロックされている。そこで、この状態を維持しつつ、他方の手（この場合、右手）でアーム部４の解錠レバー５５，５５をつまみ、解錠方向（図７（ｂ）では左方向）にスライドさせると、アーム部４内のロックレバー５が左方向にスライドし、ロックレバー５の係止爪５３が内側に引き込まれてロックが解除される。
【００４２】
最後に、使用者は、図８に示すように、ロック解除状態のまま、アーム部４を上に持ち上げることにより、アーム部４が第２ベース３を中心に回転し、ガイド溝４２内に引き込まれていた係止ロッド２２１がロックから開放されることにより、各扉体Ｄ，Ｄが開閉可能になる。
【００４３】
再度ロックをかけるに当たっては、上記解錠手順を再び繰り返す必要はなく、単にアーム部４をロック方向に回転させるだけで簡単にロックをかけることができる。すなわち、第１ロック手段の係止凸部２４１と第２ロック手段の係止爪５３にはそれぞれテーパー面が設けられているため、そのままアーム部４を閉方向に進行させるだけで、第１ロック手段の係止凸部２４１はアーム部４の内壁面を乗り越え、第２ロック手段の係止ロッド２２１は係止爪５３を乗り越えて、それぞれロック位置に固定される。
【００４４】
また、扉開き防止装置１を取り外すに当たっては、まず、扉体Ｄ，Ｄに取り付けられた各ベース部２，３の各つまみ部２３３，３３３を操作して、基台２１，３１を上に持ち上げて取り外す。これにより、壁面には取付板２３，３３のみが残された状態となる。
【００４５】
そこで、使用者は、一方の手で取付板２３，３３を押さえ付けて固定したのち、他方の手で取付板２３，３３の下端から露出している両面粘着テープＴのつまみ部Ｔ１を把持し、下方に引っ張る。これにより、両面粘着テープＴは延伸され、壁面から引きはがされる。以上の、一連の工程により全ての両面粘着テープＴを剥がし取ることにより、簡単かつ綺麗に取付板２２，３３を剥がすことができる。
【００４６】
この実施形態において、扉開き防止装置１は、観音開き式の扉体Ｄ，Ｄに適用した場合について例示したが、これ以外に、片開きの扉体に適用してもよいし、引き戸の戸当たりに設けてもよい。さらには、キャビネットの引き出しに取り付けて使用してもよい。
【図面の簡単な説明】
【００４７】
【図１】本発明の一実施形態に係る扉開き防止装置の使用状態を示す斜視図。
【図２】上記扉開き防止装置の斜視図。
【図３】（ａ）：上記扉開き防止装置の正面図、（ｂ）：上記扉開き防止装置の背面図，（ｃ）：上記扉開き防止装置の平面図，（ｄ）：上記扉開き防止装置の底面図。
【図４】（ａ）：第１ベース部の正面図，（ｂ）：第１ベース部の左側面図。
【図５】取付板の取付状態を説明する第１ベース部の背面図。
【図６】図３（ａ）のＡ−Ａ線断面図。
【図７】（ａ）：アーム部を背面側から見た背面図，（ｂ）：アーム部のロックレバーをスライドした状態を示す背面図。
【図８】扉開き防止装置のロックを解除した状態を示す斜視図。
【符号の説明】
【００４８】
１  扉開き装置
２  第１ベース部
２１  基台
２２  係止軸
２２１  係止ロッド
２２２  拡径部
２３  取付板
２４  ロック部
２４１  係止凸部
２４２  解錠ボタン
３  第２ベース部
３１  基台
３２  支軸
４  アーム部
４２  ガイド溝
５  ロックレバー
５１  レバー本体
５２  バネ部材
５３  係止爪
５５  解錠レバー
Ｄ  扉体
Ｄ１  戸当たり
【図１】
2006342539.tif 000003
【図２】
2006342539.tif 000004
【図３】
2006342539.tif 000005
【図４】
2006342539.tif 000006
【図５】
2006342539.tif 000007
【図６】
2006342539.tif 000008
【図７】
2006342539.tif 000009
【図８】
2006342539.tif 000010